(57)【要約】【課題】歯磨きに利用することのできる携行型無線端末を提供する。【解決手段】携帯電話機（携行型無線端末）２０１の本体としての筐体２０２におけるアンテナ２０７の突出している側と反対の端部には、差込口２０８が形成されている。この差込口２０８に歯ブラシ上半部２１２の首部２１２Ａを嵌入し、操作部２０６の所定のキーを押すと、着信通知用の内蔵のバイブレータが作動して歯ブラシに振動を与え、短時間に良好な歯磨きを実行させることができる。【選択図】図３
2005167825.tif 000002
【特許請求の範囲】
【請求項１】
片手で握ることのできる形状およびサイズで無線通信に必要な回路を内蔵した筐体と、
この筐体に着脱自在に取り付けられた歯ブラシ上半部
とを具備することを特徴とする携行型無線端末。
【請求項２】
片手で握ることのできる形状およびサイズで無線通信に必要な回路を内蔵した筐体と、
この筐体内部に収容され外部へ所定量だけ引き出し自在となった歯ブラシ上半部
とを具備することを特徴とする携行型無線端末。
【請求項３】
前記筐体は着信を知らせるためのバイブレータと、歯磨きを行うときにこのバイブレータを駆動させるためのスイッチとを更に具備することを特徴とする請求項１または請求項２記載の携行型無線端末。
【請求項４】
前記歯ブラシ上半部は磁性体を有しており、前記筐体はこの磁性体の磁力を検出する磁力検出手段と、この磁力検出手段が磁力を検出している状態で前記スイッチが作動したとき前記バイブレータを駆動させるバイブレータ駆動制御手段とを更に具備することを特徴とする請求項３記載の携行型無線端末。
【請求項５】
前記歯ブラシ上半部のブラシと反対側の端部は前記筐体の一端部に開けられた穴に嵌入することを特徴とする請求項１記載の携行型無線端末。
【請求項６】
前記歯ブラシ上半部のブラシと反対側の端部は前記筐体の一端部と嵌合することを特徴とする請求項１記載の携行型無線端末。
【発明の詳細な説明】
【技術分野】
【０００１】
本発明は、携帯電話機等の携行型無線端末に係わり、特に片手で操作できる携行型無線端末に関する。
【背景技術】
【０００２】
携帯電話機や、ＰＨＳ（Personal Handy-phone System）等の携行型無線端末は、固定電話のように複数の人が共同で使用する通信端末と異なり、個人の所有物として使用されている。このため、本来の通信機能だけでなく、スケジュール管理機能等の各種の機能を盛り込んで、多機能化する傾向にある。
【０００３】
図９は、このような携行型無線端末の一例として一体型の携帯電話機の外観を示したものである。携帯電話機１０１は、細長い直方体状の筐体１０２を備えており、その図示した側の面には固定電話機のハンドセットと同様にその上端部近傍にスピーカ１０３が、また下端部近傍にマイクロフォン１０４が配置されている。そして、これらの部品の間には、液晶ディスプレイからなる表示部１０５と、図示しない各種キーを配置した操作部１０６が配置されている。筐体１０２の上端側には伸縮自在のアンテナ１０７が取り付けられている。
【０００４】
このような携帯電話機１０１は、着信時にスピーカ１０３が着信音を鳴動させるか、筐体１０２に内蔵された図示しないバイブレータを動作させて振動によって着信を知らせるようになっている（たとえば特許文献１参照）。
【特許文献１】特開平８−３４０５８２号公報（段落００３７、図５）
【発明の開示】
【発明が解決しようとする課題】
【０００５】
ところで、食事のたびに歯を磨くことが虫歯予防のために推奨されている。しかしながら、多くの者は、家庭から離れた勤務先や出張先まで、歯ブラシを持っていくことはない。歯ブラシを携行しやすいように小さな入れ物に収めた旅行用セット等の商品が販売されてはいるが、背広等のポケットには前記した携行型無線端末や筆記具等の仕事上等で必要とされるアイテムが詰まっている。歯ブラシは個人的な所有物であり、事務上等の必須アイテムとは無関係なために所持が控えられる傾向にある。
【０００６】
そこで本発明の目的は、歯磨きに活用することのできる携行型無線端末を提供することにある。
【課題を解決するための手段】
【０００７】
請求項１記載の発明では、（イ）片手で握ることのできる形状およびサイズで無線通信に必要な回路を内蔵した筐体と、（ロ）この筐体に着脱自在に取り付けられた歯ブラシ上半部とを携行型無線端末に具備させる。
【０００８】
すなわち請求項１記載の発明では、片手で握ることのできる形状およびサイズで無線通信に必要な回路を内蔵した筐体に必要に応じて歯ブラシ上半部を取り付けることにして、筐体を柄の部分として使用することで歯を磨くことができる。筐体にバイブレータが備えられていれば、歯ブラシに振動を与えて振動が発生しない場合よりも短時間に良好な歯磨きを実行させることができる。
【０００９】
請求項２記載の発明では、片手で握ることのできる形状およびサイズで無線通信に必要な回路を内蔵した筐体と、（ロ）この筐体内部に収容され外部へ所定量だけ引き出し自在となった歯ブラシ上半部とを携行型無線端末に具備させる。
【００１０】
すなわち請求項２記載の発明では、片手で握ることのできる形状およびサイズで無線通信に必要な回路を内蔵した筐体内部に歯ブラシ上半部を収容しておいて、これを必要なときに引き出して、筐体を柄の部分として使用することで歯を磨くことができる。筐体にバイブレータが備えられていれば、歯ブラシに振動を与えて振動が発生しない場合よりも短時間に良好な歯磨きを実行させることができる。
【発明の効果】
【００１１】
携帯電話機等の携行型無線端末は、個人端末として常に所持している場合が多いので、仕事場や出張先でも手軽に歯を磨くことができる。しかも、携行型無線端末にバイブレータが備えられている場合には、これを着信通知用として使用するだけでなく歯ブラシに振動を与えることができるので、練歯磨きを使用しなくても歯を良好に磨くことができる。
【発明を実施するための最良の形態】
【００１２】
以下実施例につき本発明を詳細に説明する。
【実施例１】
【００１３】
図１は本発明の実施例における携帯電話機の外観を表わしたものである。携帯電話機２０１は、片手で握ることのできる細長い直方体状の筐体２０２を備えており、その図示した表側の面には固定電話機のハンドセットと同様にその上端部（図で右側）近傍にスピーカ２０３が、また下端部（図で左側）近傍にマイクロフォン２０４が配置されている。そして、これらの部品の間には、液晶ディスプレイからなる表示部２０５と、図示しない各種キーを配置した操作部２０６が配置されている。筐体２０２の図で右端部には、伸縮自在のアンテナ２０７が取り付けられている。また、筐体２０２の図で左端部には、差込口２０８が開けられている。スピーカ２０３、マイクロフォン２０４、表示部２０５、操作部２０６およびアンテナ２０７は、それぞれ生活防水機能を備えている。
【００１４】
図２は、この携帯電話機を裏側から見たものである。携帯電話機２０１の筐体裏面には、着脱自在な蓋２１１が取り付けられており、その内部空間には歯ブラシ上半部２１２と、チューブ入り練歯磨き２１３が収容されている。チューブ入り練歯磨き２１３の代わりに歯間ブラシや爪楊枝を入れていてもよい。
【００１５】
図３は、この携帯電話機に歯ブラシ上半部を取り付ける状態を表わしたものである。歯を磨く際には、筐体２０２の差込口２０８に歯ブラシ上半部２１２を構成する棒状の首部２１２Ａを嵌入する。すると、首部２１２Ａに内蔵された磁性体２２１が筐体２０２内部の図示しない磁気センサによって検知され、表示部２０５に「歯磨き中  “１”でオン  “０”でオフ」という表示が行われる。
【００１６】
ユーザがこの状態で操作部２０６の図示しない“１”キーを押すと振動が発生して、電動歯ブラシとして歯を磨くことができる。“０”キーを押すか、歯ブラシ上半部２１２を差込口２０８から引き抜くと、振動が停止する。歯ブラシ上半部２１２を差込口２０８から引き抜いた場合には、表示部２０５の「歯磨き中  “１”でオン  “０”でオフ」という表示は消去され、通常の携帯電話機としての表示に戻る。
【００１７】
図４は、この携帯電話機の回路構成の要部を表わしたものである。携帯電話機２０１は、各種制御のためのＣＰＵ（中央処理装置）２３１を備えている。ＣＰＵ２３１は、データバス等のバス２３２を介して筐体内の各部と接続されている。このうち制御プログラム格納部２３３は、この携帯電話機２０１の制御用のプログラムを格納した部分であり、たとえばＲＯＭ（リード・オンリ・メモリ）によって構成されている。作業用メモリ２３４は、ＣＰＵ２３１が制御プログラムを実行するときに一時的に必要とする各種データを格納するメモリであり、たとえばＲＡＭ（ランダム・アクセス・メモリ）によって構成されている。通信制御部２３５は通話等の通信制御を行う部分である。着呼の検出も行う。スピーカ２０３およびマイクロフォン２０４は、それぞれ図示を省略したが増幅回路等の出力回路あるいは入力回路を介してバスに接続されている。同様に表示部２０５は図示しないが表示制御回路を介してバス２３２に接続され、操作部２０６は同じく図示しない入力回路を介してバス２３２に接続されている。
【００１８】
磁気センサ２３７は、図３に示した歯ブラシ上半部２１２が筐体２０２にセットされたことを検出するセンサである。本実施例では防水性能を高めるために差込口２０８が筐体２０２の内部に開口していない構造となっており、このために磁力を検出する磁気センサ２３７を使用している。もちろん、歯ブラシ上半部２１２が筐体２０２にセットされたことは、圧力、光、赤外線等の他のセンサを使用しても検出することができる。また、このような検出を行わずに、ユーザによる操作部２０６の操作のみで歯磨きのための振動を発生させることも機構的に可能である。
【００１９】
モータ駆動回路２３８は、偏心重り付モータ２３９を回転させるための回路である。偏心重り付モータ２３９は、その図示しない回転軸に偏心重りが付いた構造となっており、回転軸の回転によって偏心運動を生じさせ、バイブレータとして振動を発生させる。偏心重り付モータ２３９は、歯ブラシを十分振動させるために、通常の携帯電話機に配置されているよりも、やや大型のものを使用してもよい。
【００２０】
モータ駆動回路２３８は、ユーザが着信を検出するためにバイブレータ機能を指定している場合に、同様に偏心重り付モータ２３９を駆動するようになっている。ただし、ユーザがこの携帯電話機２０１で歯を磨いているときに着信した場合は、偏心重り付モータ２３９が回転しているとユーザが着信を検出しにくいおそれがある。そこで、本実施例の携帯電話機２０１はこのような場合にバイブレータ機能を着信中のみ停止させ、スピーカ２０３から代わって着信音を出力することにしている。この制御については次に説明する。スピーカ２０３から着信音を出力することにしたのは、電車やバスといった公共の場所で歯を磨くことがないことを前提としている。
【００２１】
図５は、着信時の通知制御の様子を表わしたものである。図４と共に説明する。図４に示した通信制御部２３５が着信を検出して呼出モードになると（ステップＳ３０１：Ｙ）、ＣＰＵ２３１は作業用メモリ２３４をチェックしてこの携帯電話機２０１がバイブレータ機能を使用するマナーモードになっているかどうかをチェックする（ステップＳ３０２）。マナーモードになっている場合には（Ｙ）、磁気センサ２３７が歯ブラシ上半部２１２のセットを検出していなければ（ステップＳ３０３：Ｎ）、歯磨きを行う状態ではないので着信を通知するために偏心重り付モータ２３９を回転させてバイブレータをオンにする（ステップＳ３０４）。マナーモードで（ステップＳ３０２：Ｙ）、歯ブラシ上半部２１２のセットを検出している場合には、着信時に着信音が出力される（ステップＳ３０６）。
【００２２】
ステップＳ３０２でマナーモードになっていない場合には、磁気センサ２３７が歯ブラシ上半部２１２のセットを検出しているかどうかを判別して（ステップＳ３０５）、検出していなければ（Ｎ）、着信音を出力することになる（ステップＳ３０６）。歯ブラシ上半部２１２のセットを検出している場合には、バイブレータがオンしている場合にこれをオフにして（ステップＳ３０７）、ステップＳ３０６に進んで着信音を出力させる。これはバイブレータの振動を停止させることで着信音に気づきやすくさせるためである。したがって、本実施例とは異なり、このような場合もバイブレータを継続的に動作させることも可能である。
【００２３】
一方、着信時以外の状態でユーザが歯を磨くために歯ブラシ上半部２１２をセットして操作部２０６の“１”キーを押すと（ステップＳ３０８：Ｙ）、バイブレータがオンとなって（ステップＳ３０４）、歯磨きが行える状態となる。“１”キーを押下した後、これを離してもＣＰＵ２３１がこれを記憶（保持）しており、バイブレータはオンの状態を持続する。ただし、図示しない回路によって一定時間後にバイブレータをオフするようにして節電を図ってもよい。バイブレータがオンとなっている状態でユーザが操作部２０６の“０”キーを押したとき、あるいは歯ブラシ上半部２１２を筐体２０２から取り外したときには（ステップＳ３０９：Ｙ）、バイブレータが強制的にオフとなる（ステップＳ３１０）。
【００２４】
＜発明の第１の変形例＞
【００２５】
図６は、本実施例の携帯電話機の第１の変形例を示したものである。図６で図１と同一部分には同一の符号を付しており、これらの説明を適宜省略する。この第１の変形例の携帯電話機２０１Ｂでは、筐体２０２Ｂにおけるアンテナ２０７の突出している側と反対の端部２０２Ｂ１に、歯ブラシ上半部２１２Ｂを構成する基部２１２Ｂ１を嵌合するようになっている。基部２１２Ｂ１は、端部２０２Ｂ１の外周部に嵌り合う筒状の空間を有しており、嵌合時に首部２１２Ａに内蔵された磁性体２２１が筐体２０２Ｂ内部の図示しない磁気センサによって検知され、表示部２０５に「歯磨き中  “１”でオン  “０”でオフ」という表示が行われることになる。
【００２６】
この第１の変形例の携帯電話機２０１Ｂでは、歯ブラシ上半部２１２Ｂを筐体２０２Ｂにセットした状態でマイクロフォン１０４が基部２１２Ｂ１に覆われる。したがって、マイクロフォン１０４は特に防水処理を行う必要がない。もちろん、通話を行う際には歯ブラシ上半部２１２Ｂを筐体２０２Ｂから取り除くので、通話に支障が生じることはない。
【００２７】
＜発明の第２の変形例＞
【００２８】
図７は、本実施例の携帯電話機の第２の変形例を示したものである。図７で図１と同一部分には同一の符号を付しており、これらの説明を適宜省略する。この第２の変形例の携帯電話機２０１Ｃでは、筐体２０２Ｃに棒状のアンテナ２０７Ｃの基部（図示せず）を植設するように固定している。歯磨きを行う際には、この筐体２０２Ｃの図示しない裏側に設けられた空間部分（図２参照）から歯ブラシ上部２４１を取り出して、その筒状の首部２４１Ａをアンテナ２０７Ｃと嵌合させるようになっている。
【００２９】
筐体２０２Ｃ内には必ずしも歯ブラシ上部２４１を収容する空間を設ける必要がない。たとえば携帯ストラップに取り付けるフットボール型のアイテム等を開閉自在とし、この内部に収容してもよい。筐体に歯ブラシ上部の収容空間を設けることが必ずしも必要でない点は、先の実施例も同様である。
【００３０】
なお、この第２の変形例の携帯電話機２０１Ｃでは、アンテナ２０７Ｃの基部側に磁気センサを配置しておき、歯ブラシの首部２４１Ａに磁性体を取り付けておくことで、先の実施例と同様に歯ブラシ上部２４１が筐体２０２Ｃにセットされたことを検出することができる。
【００３１】
＜発明の第３の変形例＞
【００３２】
図８は、本実施例の携帯電話機の第３の変形例を示したものである。図８で図１と同一部分には同一の符号を付しており、これらの説明を適宜省略する。この第３の変形例の携帯電話機２０１Ｄでは、筐体２０２Ｄにおけるアンテナ２０７の突出している側と反対の端部２０２Ｄ１に、矢印２５１方向に開閉自在な蓋２５２が取り付けられている。筐体２０２Ｄの内部には、歯ブラシ上半部２１２Ｄがバネ２５３を圧縮した状態で収容されており、図示しないロック機構によって保持されている。ユーザが蓋２５２の一端を矢印２５４で示すように強く押すと、このロック機構が解除され、バネ２５３が伸張して歯ブラシ上半部２１２Ｄがポップアップするようになっている。
【００３３】
このポップアップした歯ブラシ上半部２１２Ｄの首部２１２Ｄ１の所定位置には小さな掛止穴２１２Ｄ２が形成されており、蓋２５２の矢印２５４で示した箇所の反対側にはこの掛止穴２１２Ｄ２に嵌入する突起（図示せず）が形成されている。ユーザは、ほぼ直角に開いた蓋２５２のこの突起を掛止穴２１２Ｄ２に嵌入させることで歯ブラシ上半部２１２Ｄを固定し、この固定状態で歯磨きを実行することができる。この変形例でも歯ブラシ上半部２１２Ｄのポップアップに連動して、携帯電話機２０１Ｄを歯磨きモードに設定することができる。
【００３４】
以上説明した実施例および変形例では、表示部と操作部が１つの筐体に収容された一体型の携帯電話機について説明したが、これらが別々の筐体に収容された折り畳み型の携帯電話機についても本発明を同様に適用することができる。また、携帯電話機以外の携行型無線端末でその本体部分を手で握れるサイズのものについては、本発明を同様に適用することができる。
【００３５】
更に、実施例および変形例では歯ブラシをセットした状態で携帯電話機の本体側がこれを検知して歯磨きを行う歯磨きモードになる場合を説明したが、このような検出を行わず、ユーザが所定のキーあるいはボタンを操作することで、バイブレータとして振動が発生するようにしてもよい。もちろん、このような振動の発生機能を必ずしも使用せずに携行型無線端末に取り付けられた歯ブラシを使用して歯を磨くことは可能である。また、実施例および変形例では操作部の所定のキーを操作することでバイブレータのオン・オフ制御を行うことにしたが、専用のキーあるいはボタンを配置するようにしてもよい。
【００３６】
更に、発明の第３の変形例ではバネを使用して歯ブラシ上半部を必要に応じて携帯電話機の筐体から引き出すことにしたが、他のモータの駆動力を使用して歯ブラシ上半部を筐体に対して引き出し自在としてもよい。
【図面の簡単な説明】
【００３７】
【図１】本発明の実施例における携帯電話機の外観を表わした斜視図である。
【図２】本実施例で携帯電話機の裏側を示した斜視図である。
【図３】携帯電話機に歯ブラシ上半部を取り付ける状態を表わした斜視図である。
【図４】本実施例の携帯電話機の回路構成の要部を表わしたブロック図である。
【図５】本実施例で着信時の通知制御の様子を表わした流れ図である。
【図６】本実施例の携帯電話機の第１の変形例を示した斜視図である。
【図７】本発明の第２の変形例として携帯電話機とこれに歯ブラシ上部を取り付ける様子を示した斜視図である。
【図８】本発明の第３の変形例としての携帯電話機を示した要部斜視図である。
【図９】従来の携行型無線端末の外観を示した平面図である。
【符号の説明】
【００３８】
２０１、２０１Ｂ、２０１Ｃ、２０１Ｄ  携帯電話機（携行型無線端末）
２０２  筐体
２０３  スピーカ
２０４  マイクロフォン
２０５  表示部
２０６  操作部
２０７  アンテナ
２０８  差込口
２１１、２５２  蓋
２１２、２１２Ｂ、２１２Ｄ  歯ブラシ上半部
２１２Ｄ２  掛止穴
２３１  ＣＰＵ
２３３  制御プログラム格納部
２３７  磁気センサ
２３９  偏心重り付モータ（バイブレータ）
２５３  バネ
【図１】
2005167825.tif 000003
【図２】
2005167825.tif 000004
【図３】
2005167825.tif 000005
【図４】
2005167825.tif 000006
【図５】
2005167825.tif 000007
【図６】
2005167825.tif 000008
【図７】
2005167825.tif 000009
【図８】
2005167825.tif 000010
【図９】
2005167825.tif 000011